(57)【要約】【課題】静止画の撮影位置情報に基づいてユーザの嗜好を十分に反映した番組推薦を行うデジタル放送受信装置を提供する。【解決手段】デジタル放送受信装置は、読み込んだ静止画の撮影位置の優先度を総合的に判断する静止画付加情報解析手段(13)、番組情報から地名やランドマーク名など地理的位置や範囲を特定し得るキーワードを抽出する番組地名情報解析手段(24)、地名やランドマークの地理的位置および範囲に関する地図情報を参照して、抽出された各キーワードに対応する地図範囲を取得し、当該地図範囲と所定の優先度を有する撮影位置範囲との重複度合を評価する位置重複評価手段(33)、重複度合が所定値を越える地図範囲に対応するキーワードを含む番組の優先度を高く設定するおすすめ番組解析手段(34)、優先度が高く設定された番組を推薦するためのユーザインタフェースを生成するおすすめ番組通知手段(35)を備えている。【選択図】図１
2013126107.tif 000002
【特許請求の範囲】
【請求項１】
デジタルスチルカメラなどで撮影された静止画を読み込み可能なデジタル放送受信装置であって、
読み込んだ静止画の付加情報に基づいて、当該静止画の撮影位置の優先度を総合的に判断する静止画付加情報解析手段と、
デジタル放送の番組情報から地名やランドマーク名など地理的位置や範囲を特定し得るキーワードを抽出する番組地名情報解析手段と、
地名やランドマークの地理的位置および範囲に関する地図情報を参照して前記抽出された各キーワードに対応する地図範囲を取得し、当該地図範囲と前記静止画付加情報解析手段によって判断された所定の優先度を有する撮影位置範囲との重複度合を評価する位置重複評価手段と、
前記重複度合が所定値を越える地図範囲に対応するキーワードを含む番組の優先度を高く設定するおすすめ番組解析手段と、
前記優先度が高く設定された番組を推薦するためのユーザインタフェースを生成するおすすめ番組通知手段とを備えている
ことを特徴とするデジタル放送受信装置。
【請求項２】
請求項１に記載のデジタル放送受信装置において、
前記おすすめ番組解析手段は、前記位置重複評価手段による評価の対象となる地図範囲のうち範囲がより狭いものほど番組の優先度をより高く設定する
ことを特徴とするデジタル放送受信装置。
【請求項３】
請求項１および２のいずれか一つに記載のデジタル放送受信装置において、
前記おすすめ番組解析手段は、前記位置重複評価手段による評価の対象となる撮影位置範囲のうち前記静止画付加情報解析手段によって判断された優先度がより高いものほど番組の優先度をより高く設定する
ことを特徴とするデジタル放送受信装置。
【請求項４】
請求項１から３のいずれか一つに記載のデジタル放送受信装置において、
ネットワークに接続して前記地図情報を取得する地図情報取得手段を備えている
ことを特徴とするデジタル放送受信装置。
【請求項５】
請求項１から４のいずれか一つに記載のデジタル放送受信装置において、
前記おすすめ番組通知手段は、前記ユーザインタフェースとして、地図画像に前記優先度が高く設定された番組の番組情報をリンクさせた番組地図を生成する
ことを特徴とするデジタル放送受信装置。
【請求項６】
請求項５に記載のデジタル放送受信装置において、
前記静止画付加情報解析手段によって判断された撮影位置の優先度がグラデーション表示されて前記番組地図に重ね合わされている
ことを特徴とするデジタル放送受信装置。
【発明の詳細な説明】
【技術分野】
【０００１】
本発明は、デジタル放送受信装置に関し、特に、静止画の撮影位置情報に基づいてユーザの嗜好にあった番組推薦を行うデジタル放送受信装置に関する。
【背景技術】
【０００２】
テレビジョン放送の多チャンネル化に伴い、さまざまな観点からユーザの嗜好を推察して番組推薦を行う機能を有するデジタル放送受信装置（ＴＶ装置）が提案、商品化されている。一方、各種メディアのデジタル化に伴い、ＴＶ装置で音楽再生や静止画の表示が可能となった。また、多くのＴＶ装置では静止画を閲覧または保存できる機能が一般的な機能として存在している。
【０００３】
ユーザはＴＶ装置で閲覧したまたはＴＶ装置に保存した静止画に対して強い興味や関心を持っていると考えられる。したがって、そのような静止画が撮影された地理的位置はユーザが特に関心を持つ情報の一つだと考えられる。そこで、静止画の撮影位置情報に基づいて番組推薦を行うＴＶ装置が開発されている（例えば、特許文献１および２参照）。
【先行技術文献】
【特許文献】
【０００４】
【特許文献１】国際公開第２００８／１２９８７９号
【特許文献２】特開２００９−２７２８３６号公報
【発明の概要】
【発明が解決しようとする課題】
【０００５】
従来のＴＶ装置では番組情報から得た位置情報と静止画の撮影位置情報とを単純な地名検索で照合しており、静止画の撮影位置に優先度が設定されていない。このため、静止画の撮影位置情報に基づく番組推薦がユーザの嗜好を十分に反映していないことがある。
【０００６】
かかる問題に鑑み、本発明は、静止画の撮影位置情報に基づいてユーザの嗜好を十分に反映した番組推薦を行うデジタル放送受信装置を提供することを目的とする。
【課題を解決するための手段】
【０００７】
本発明の一局面に従ったデジタル放送受信装置は、デジタルスチルカメラなどで撮影された静止画を読み込み可能なデジタル放送受信装置であって、読み込んだ静止画の付加情報に基づいて、静止画の撮影位置の優先度を総合的に判断する静止画付加情報解析手段と、デジタル放送の番組情報から地名やランドマーク名など地理的位置や範囲を特定し得るキーワードを抽出する番組地名情報解析手段と、地名やランドマークの地理的位置および範囲に関する地図情報を参照して前記抽出された各キーワードに対応する地図範囲を取得し、当該地図範囲と前記静止画付加情報解析手段によって判断された所定の優先度を有する撮影位置範囲との重複度合を評価する位置重複評価手段と、前記重複度合が所定値を越える地図範囲に対応するキーワードを含む番組の優先度を高く設定するおすすめ番組解析手段と、前記優先度が高く設定された番組を推薦するためのユーザインタフェースを生成するおすすめ番組通知手段とを備えている。
【０００８】
これによると、読み込んだ静止画の撮影位置の優先度が総合的に判断され、所定の優先度を有する撮影位置範囲と番組情報から抽出したキーワードに対応する地図範囲との重複度合の割合に応じて番組の優先度が高く設定される。したがって、静止画の撮影位置情報が十分に反映された番組推薦が可能となる。
【０００９】
前記おすすめ番組解析手段は、前記位置重複評価手段による評価の対象となる地図範囲のうち範囲がより狭いものほど番組の優先度をより高く設定してもよい。また、前記おすすめ番組解析手段は、前記位置重複評価手段による評価の対象となる撮影位置範囲のうち前記静止画付加情報解析手段によって判断された優先度がより高いものほど番組の優先度をより高く設定してもよい。
【００１０】
上記デジタル放送受信装置は、さらに、ネットワークに接続して前記地図情報を取得する地図情報取得手段を備えていてもよい。
【００１１】
前記おすすめ番組通知手段は、前記ユーザインタフェースとして、地図画像に前記優先度が高く設定された番組の番組情報をリンクさせた番組地図を生成してもよい。さらに、前記静止画付加情報解析手段によって判断された撮影位置の優先度がグラデーション表示されて前記番組地図に重ね合わされていてもよい。
【発明の効果】
【００１２】
本発明によると、静止画の撮影位置情報に基づいてユーザの嗜好を十分に反映した番組推薦を行うことができる。
【図面の簡単な説明】
【００１３】
【図１】本発明の一実施形態に係るデジタル放送受信装置の主要部の構成図
【図２】静止画の撮影位置の集まりから撮影位置分布図が生成される様子を表す模式図
【図３】番組情報に基づく地図範囲と撮影位置分布図の水平断面との重複面積評価の一例を表す模式図
【図４】番組地図の画面表示例を示す図
【図５】図４の番組地図を拡大したときの表示画面例を示す図
【発明を実施するための形態】
【００１４】
以下、図面を参照しながら本発明を実施するための形態について説明する。なお、本発明は、以下の実施形態に限定されるものではない。
【００１５】
図１は、本発明の一実施形態に係るデジタル放送受信装置の主要部の構成を示す。本実施形態に係るデジタル放送受信装置は、静止画読み込み手段１１、静止画表示手段１２、静止画付加情報解析手段１３、静止画位置情報蓄積手段１４、デジタル放送受信手段２１、映像音声出力手段２２、番組表表示手段２３、番組地名情報解析手段２４、番組地名情報蓄積手段２５、地図情報取得手段３１、地図情報蓄積手段３２、位置重複評価手段３３、おすすめ番組解析手段３４、おすすめ番組通知手段３５を備えている。当該デジタル放送受信装置は、ユーザが閲覧したまたは保存した静止画の撮影位置を解析してユーザの興味にあった放送番組を推薦する機能を有する。なお、静止画付加情報解析手段１３、番組地名情報解析手段２４、地図情報取得手段３１、位置重複評価手段３３、おすすめ番組解析手段３４、おすすめ番組通知手段３５は、ハードウェアおよびソフトウェアのいずれでも実現することができる。
【００１６】
静止画読み込み手段１１は、デジタルスチルカメラなどで撮影された静止画を読み込む。静止画は、ＳＤカードやＣＤ−ＲＯＭなどのメディアから読み込んでもよいし、有線・無線ＬＡＮやブルートゥース（登録商標）などの通信により読み込んでもよい。静止画表示手段１２は、読み込んだ静止画を表示する。
【００１７】
静止画付加情報解析手段１３は、読み込んだ静止画の付加情報に基づいて静止画の撮影位置を総合的に判断する。当該優先度は、例えば撮影位置分布図にして表すことができる。上述したように、一般に、デジタルスチルカメラなどで撮影された静止画はＥｘｉｆ（Exchangeable Image File Format）に代表される付加情報を持つ。付加情報には、撮影日時、撮影機器モデル名、解像度、焦点距離などが含まれている。さらに、ＧＰＳ機能を搭載したデジタルスチルカメラで撮影された静止画には、撮影位置（緯度と経度）や方位といった撮影位置に関する情報も記録されている。静止画付加情報解析手段１３は、例えば表１に示したような、撮影位置に関する情報を含む付加情報に基づいて撮影位置分布図を生成する。
【００１８】
【表１】
2013126107.tif 000003
【００１９】
撮影位置分布図は、各静止画の撮影位置を地図上に配置することで生成することができる。具体的には、緯度および経度の２変数でのカーネル密度推定によって各撮影位置にある程度の高さ（標高）と範囲を持たせて重ねていくことで撮影位置の密集地域の特定を行う。標高と範囲がカーネル密度推定における密度とバンド幅に相当する。例えば、図２（ａ）に示した静止画の撮影位置の集まりから、図２（ｂ）に示したような撮影位置分布図が生成される。
【００２０】
撮影位置分布図において、静止画の枚数が多いほどその撮影位置の標高が高くなる。撮影枚数が多いということはユーザがその撮影位置に何らかの興味や関心があると考えられる。したがって、撮影位置分布図における標高はその撮影位置の優先度を表していると言える。
【００２１】
基本的に、静止画の枚数が多いほどその撮影位置の優先度は高くなる。それ以外に、静止画付加情報解析手段１３は、次のように静止画に関する各種情報を考慮して撮影位置の標高および範囲に修正を加えてもよい。
【００２２】
１．撮影日時が直近であるほど標高を高くする。過去に撮影されたものよりも最近撮影されたものの方がユーザの現在の嗜好をより強く反映していると考えられるからである。
【００２３】
２．解像度が高いほど標高を高くする。解像度が高いということは、その静止画はユーザにとって重要であると考えられるからである。
【００２４】
３．一眼レフカメラなどの高級機で撮影されていれば標高を高くし、携帯電話機などで撮影されていれば標高を低くする。高級機で撮影された静止画はユーザにとって重要であると考えられるからである。
【００２５】
４．撮影位置が当該デジタル放送受信装置の所在位置（自宅など）から離れているほど標高を高くする。撮影場所が自宅から離れているということは、例えば旅先などで撮影された可能性が高く、ユーザの嗜好がより強く反映されていると考えられるからである。また、近所で撮影された静止画の枚数は必然的に多くなるため、近所の撮影位置の標高が突出して高くなるのを防ぐ意味もある。
【００２６】
５．撮影モードに応じて標高を変更する。例えば、風景モードで撮影されていれば優先度を高くし、美肌モードで撮影されていれば優先度を低くする。風景モードは文字通り風景を撮影するためのモードであり、撮影位置に基づくユーザの嗜好の推測という観点から、美肌モードよりも優先度を高くすべきであると考えられるからである。
【００２７】
６．焦点距離が長いほど範囲を広くする。これはユーザの興味は撮影位置近傍ではなくある程度の広がりを持つ範囲内にあると考えられるからである。
【００２８】
７．焦点距離が長く、方位が一定のものは標高を低くする。さらに範囲に偏りを持たせてもよい。これはユーザが遠くの特定のものを狙って撮影しているため、ユーザの興味は撮影位置よりも遠く離れた位置にあると考えられるからである。
【００２９】
なお、静止画の焦点距離や撮影方向などから遠方の対象を撮影したと考えられる場合には、そのような静止画の付加情報は撮影位置分布図の生成から除外してもよい。すなわち、撮影位置と撮影対象の位置とが近接している静止画の付加情報のみを用いて撮影位置分布図を生成するようにしてもよい。
【００３０】
静止画付加情報解析手段１３によって生成された撮影位置分布図は撮影位置情報として静止画位置情報蓄積手段１４に保存される。静止画位置情報蓄積手段１４は、半導体メモリ装置やハードディスク装置などで実現することができる。
【００３１】
デジタル放送受信手段２１は、デジタル放送波を受信して、映像、音声、データ、ＥＩＴ（Event Information Table）などの番組情報に分離する。受信する放送波は、地上波、ＢＳ波、ＣＳ波のいずれでもよい。あるいは、ケーブルテレビ放送やインターネット放送であってもよい。映像音声出力手段２２は、分離された映像・音声や、データ放送の静止画などを出力する。番組表表示手段２３は、分離された番組情報から番組表を構成して表示する。
【００３２】
表２に示したように、番組情報には番組名、放送日時、番組内容が含まれている。番組地名情報解析手段２４は、分離された番組情報から、地名やランドマーク名など地理的位置や範囲を特定し得るキーワードを抽出する。例えば、表２の例では、「東京スカイツリー」、「東京」、「高円寺」といった地名やランドマーク名が抽出される。
【００３３】
【表２】
2013126107.tif 000004
【００３４】
番組地名情報解析手段２４によって抽出されたキーワードは番組地名情報として番組地名情報蓄積手段２５に保存される。番組地名情報蓄積手段２５は、半導体メモリ装置やハードディスク装置などで実現することができる。
【００３５】
一方、地図情報蓄積手段３２には、地名やランドマークの地理的位置および範囲に関する地図情報が保存されている。表３は、地図情報の一例を示す。地図情報は、地名とその位置（緯度と経度）および範囲で構成される。地名は、国名、都道府県名、市町村名、観光地名、ランドマーク名など、地図上のさまざまな位置を表す名称である。
【００３６】
【表３】
2013126107.tif 000005
【００３７】
地名は、国名や都道府県名など広い範囲を指すものから、施設名など狭い範囲を指すものまでさまざまであるため、階層情報を有していてもよい。例えば、地名を、範囲が広い順に「都道府県」、「市町村」、「名所」の３つに階層化して整理してもよい。また、範囲は半径や東西南北の長さ以外に多角形や楕円で特定してもよい。さらに、高度の指定をしてもよい。
【００３８】
地図情報はＤＶＤメディアなどを介して地図情報蓄積手段３２に取り込み可能である。しかし、地図情報は膨大であり、かつ頻繁に更新されるため、ネットワークに接続して参照、取得、更新できることが好ましい。そこで、地図情報取得手段３１は、ネットワークに接続して任意のサーバから地図情報を取得する。これにより、地図情報が膨大になることに対応でき、また、新たな観光地などの地名追加も容易になる。
【００３９】
位置重複評価手段３３は、番組情報に基づく地図範囲と静止画の付加情報に基づく撮影位置範囲との重複度合を評価する。具体的には、位置重複評価手段３３は、地図情報蓄積手段３２に保存されている地図情報を参照して、番組地名情報蓄積手段２５に保存されているキーワードに対応する地図範囲を取得する。また、位置重複評価手段３３は、静止画位置情報蓄積手段１４に保存されている撮影位置分布図を任意の標高でスライスされた水平断面を取得する。そして、位置重複評価手段３３は、重複度合として、取得した地図範囲と水平断面との重複面積を評価する。
【００４０】
図３は、番組情報に基づく地図範囲と撮影位置分布図の水平断面との重複面積評価の一例を模式的に表す。例えば、キーワード「東京スカイツリー」について地図情報を参照して、経度３５．４２２６５度および緯度１３９．４８３９度を中心とする半径２００ｍという地図範囲が取得される。一方、東京スカイツリーまたはその近辺で撮影された静止画が相当枚数読み込まれた場合、撮影位置分布図をスライスすると東京スカイツリー近辺にある程度の面積を有する水平断面が得られる。位置重複評価手段３３は、当該地図範囲と当該水平断面との重複部分の面積を評価する。
【００４１】
おすすめ番組解析部３４は、位置重複評価手段３３によって評価された重複面積に応じて番組の優先度を決定する。具体的には、おすすめ番組解析部３４は、地図範囲の面積に対して位置重複評価手段３３によって評価された重複面積の占める割合が所定値を越えるという条件を満たす場合、当該地図範囲に対応するキーワードを含む番組の優先度を高く設定する。例えば、図３の例では、キーワード「東京スカイツリー」の地図範囲の大部分が撮影位置分布図の水平断面と重複しているため、表２中の番組「東京スカイツリー−最難関への挑戦」の優先度が高く設定される。
【００４２】
さらに、おすすめ番組解析部３４は、次のように番組にさらに細かな優先度を設定してもよい。
【００４３】
１．位置重複評価手段３３による評価の対象となる地図範囲のうち範囲がより狭いものほど、すなわち、地図範囲の面積がより小さいほど優先度をより高く設定する。広い漠然とした地図範囲（例えば、「東京」）よりも狭い地図範囲（例えば、「東京スカイツリー」）の方がユーザが関心を持つ場所や施設をより適切に特定できると考えられるからである。
【００４４】
２．位置重複評価手段３３による評価の対象となる撮影位置範囲のうち静止画付加情報解析手段１３によって判断された優先度がより高いものほど、すなわち、水平断面の標高がより高いほど優先度をより高く設定する。標高は撮影位置の優先度を表しており、標高が高いほどその撮影位置の優先度が高いからである。
【００４５】
具体的には、撮影位置分布図の水平断面の標高を順次下げていって上記条件を満たす地図範囲を見つけ、当該見つかった順に当該地図範囲に対応する番組の優先度を設定することで、上述の番組優先度を設定することができる。
【００４６】
おすすめ番組通知手段３５は、おすすめ番組解析部３４の解析結果を受け、優先度が高く設定された番組（以下、推薦番組とも称する。）を推薦するためのユーザインタフェースを生成する。ユーザインタフェースは、既存の番組表に番組の優先度を標記したようなものであってもよいし、既存の番組表とはまったく別の番組地図であってもよい。番組地図とは、地図画像に推薦番組の番組情報をリンクさせたものである。
【００４７】
図４は、番組地図の画面表示例を示す。例えば、世界地図上に、いくつかの推薦番組の番組情報がその番組に纏わる位置を指し示すように提示される。ユーザは提示された推薦番組の番組情報を選択することでその番組の録画予約や視聴をすることができる。番組の優先度や放送日時の違いに応じて番組情報の表示の仕方を変えてもよい。
【００４８】
番組地図は拡大または縮小することもできる。図５は、東京付近を拡大したときの番組地図の画面表示例を示す。同図の例のように、番組地図に静止画付加情報解析手段１３によって判断された撮影位置の優先度、すなわち、撮影位置分布図をグラデーション表示して重ね合わせてもよい。
【産業上の利用可能性】
【００４９】
本発明に係るデジタル放送受信装置は、静止画の撮影位置情報に基づいてユーザの嗜好を十分に反映した番組推薦を行うことができるため、静止画を読み込み可能なデジタルテレビジョン受像機やセットトップボックスなどに有用である。
【符号の説明】
【００５０】
１３  静止画付加情報解析手段
２４  番組地名情報解析手段
３１  地図情報取得手段
３３  位置重複評価手段
３４  おすすめ番組解析手段
３５  おすすめ番組通知手段
【図１】
2013126107.tif 000006
【図３】
2013126107.tif 000007
【図２】
2013126107.tif 000008
【図４】
2013126107.tif 000009
【図５】
2013126107.tif 000010